(57)【要約】  少なくとも１つの化粧品組成物または皮膚用組成物（Ｐ）を皮膚、爪、または唇に塗布するためのアプリケータ（３）であって、少なくとも２つの細長形状のアプリケータ要素（１９）により画定されたアプリケータ部材（８）を備え、アプリケータ要素（１９）の先端が、少なくとも１．５ｍｍの距離（ω）だけ離間し、  各アプリケータ要素（１９）が、その長さ（Ｌ）の一部分のみにわたって、好ましくはその先端から始まってフロック加工され、特に半径方向にフロック加工されるアプリケータ。
2014515970.tif 000002
【特許請求の範囲】
【請求項１】
少なくとも１つの化粧品組成物または皮膚用組成物（Ｐ）を皮膚、爪、または唇に塗布するためのアプリケータ（３）であって、
アプリケータ部材（８）を備えており、前記アプリケータ部材（８）は、少なくとも２つの細長形状のアプリケータ要素（１９）により画定され、前記アプリケータ要素（１９）の先端が、少なくとも１．５ｍｍの距離（ω）だけ離間し、
各アプリケータ要素（１９）が、その長さ（Ｌ）の一部分のみにわたって、好ましくはその先端から始まってフロック加工され、特に半径方向にフロック加工される、アプリケータ。
【請求項２】
前記アプリケータ部材（８）が、好ましくは可とう性であり、且つ洗浄可能である少なくとも２つのアプリケータ要素（１９）によって画定され、
前記アプリケータ要素（１９）の先端が、少なくとも１ｍｍ、１．５ｍｍ、３ｍｍ、５ｍｍ、１０ｍｍ、または１５ｍｍの距離だけ離間する、請求項１に記載のアプリケータ。
【請求項３】
各アプリケータ要素（１９）の長さ（Ｌ）が、前記アプリケータ要素のベース（２２）の最大寸法（ｄ）の２倍よりも大きい、請求項１または２に記載のアプリケータ。
【請求項４】
２つの隣接するアプリケータ要素（１９）のフロック加工剛毛（２１）が、互いに貫通し合う、請求項１から３のいずれか一項に記載のアプリケータ。
【請求項５】
前記アプリケータ要素（１９）の長手方向軸が平行である、たとえば支持体に直交する、請求項１から４のいずれか一項に記載のアプリケータ。
【請求項６】
前記アプリケータ要素（１９）の長手方向軸が広がる、たとえば互いに直交する、請求項１から４のいずれか一項に記載のアプリケータ。
【請求項７】
前記アプリケータ要素（１９）が異なる長さを有する、請求項１から６のいずれか一項に記載のアプリケータ。
【請求項８】
容器（２）を閉鎖するための閉鎖部材（５）を備え、
前記閉鎖部材が、前記アプリケータ（３）を把持するための把持面（１７）を画定し、
前記アプリケータ部材（８）が、前記把持面（１７）に対して着脱可能であるか、または永続的に取り付けられる、請求項１から７のいずれか一項に記載のアプリケータ。
【請求項９】
ステム（７）を備え、前記アプリケータ要素（１９）が前記ステム（７）の遠位端に配置される、請求項１から８のいずれか一項に記載のアプリケータ。
【請求項１０】
各アプリケータ要素（１９）が、テーパ形状であり、またはその端部がビード、スパイク、またはフォークの形状である、請求項１から９のいずれか一項に記載のアプリケータ。
【請求項１１】
フロック部分の長さ（ｌｐ）の、アプリケータ要素（１９）の全長（Ｌ）に対する比（ｌｐ／Ｌ）が、１／５〜１／２の範囲にあり、さらに良好には０〜１／４の範囲にあり、
フロック加工剛毛（２１）が、好ましくは、前記フロック加工剛毛（２１）が接続される前記アプリケータ要素（１９）の表面に局所的に直交する、請求項１から１０のいずれか一項に記載のアプリケータ。
【請求項１２】
前記アプリケータ要素（１９）が支持体と一体に成形される、請求項１から１１のいずれか一項に記載のアプリケータ。
【請求項１３】
少なくとも２つのアプリケータ要素（１９）が、異なる密度のフロック加工剛毛（２１）により、および／または異なる厚さ、長さ、断面、硬さ、直径、もしくは種類のフロック加工剛毛によりフロック加工される、請求項１から１２のいずれか一項に記載のアプリケータ。
【請求項１４】
少なくとも１つの化粧品組成物または皮膚用組成物（Ｐ）を皮膚、爪、または唇に塗布するためのパッケージングおよびアプリケータデバイス（１）であって、
塗布用の組成物（Ｐ）を含む容器（２）と、
請求項１から１３のいずれか一項に記載のアプリケータ（３）と、
を備えるデバイス。
【請求項１５】
化粧処理、化粧品塗布、化粧品除去、または洗浄の方法であって、請求項１から１３のいずれか一項に記載のアプリケータ（３）によって、化粧品組成物または皮膚用組成物（Ｐ）を皮膚、爪、または唇に塗布するステップを含む方法。
【発明の詳細な説明】
【技術分野】
【０００１】
本発明は、睫毛および眉に化粧品またはケア製品を塗布するためのパッケージングおよびアプリケータデバイス以外の、少なくとも１つの化粧品組成物または皮膚用組成物を塗布するためのパッケージングおよびアプリケータデバイスに関する。
【背景技術】
【０００２】
フロック膜により構成された塗布面を有するアプリケータ部材が公知である。
【０００３】
使用中に、このようなアプリケータ部材を洗浄するのは比較的難しい。加えて、塗布の正確さは、常に満足であるとは限らない。
【０００４】
特許文献１は、完全にまたは一部がフロック加工され得る複数のアプリケータ要素を備えたアプリケータの製造を教示している。
【０００５】
また、端部がフロック加工されたアプリケータ要素を含むアプリケータが、特許文献２、特許文献３、特許文献４、および特許文献５から公知である。
【先行技術文献】
【特許文献】
【０００６】
【特許文献１】米国出願第２００３−０２３５４５４号明細書
【特許文献２】仏国特許第２９４７７０２号明細書
【特許文献３】仏国特許第２９３３２８１号明細書
【特許文献４】米国特許第６３８６７８１号明細書
【特許文献５】米国特許第５８９９６２２号明細書
【発明の概要】
【発明が解決しようとする課題】
【０００７】
化粧品組成物を塗布するためのまた別のアプリケータならびにパッケージングおよびアプリケータデバイスを改良して、たとえば有効性、知覚感度、および／または塗布の正確さを提供し、ならびに／あるいはアプリケータを洗浄しやすくする必要がある。
【課題を解決するための手段】
【０００８】
したがって、本発明は、少なくとも１つの化粧品組成物または皮膚用組成物を皮膚、爪、または唇に塗布するためのアプリケータを提供し、アプリケータは、少なくとも２つの細長形状のアプリケータ要素により画定されたアプリケータ部材を備え、アプリケータ要素の先端が、好ましくは少なくとも１．５ミリメートル（ｍｍ）、より良好には少なくとも３ｍｍの距離だけ離間し、各アプリケータ要素が、その長さの一部分のみにわたって、好ましくはその先端から始まってフロック加工され、特に半径方向にフロック加工される。
【０００９】
前記２つのアプリケータ要素は、場合によっては隣接していてもよい。
【００１０】
先端間の距離は、フロック加工を無視して測定される。一点により画定されない先端について、その先端は、先端の表面の中心であると考えられる。
【００１１】
また、本発明は、本発明のアプリケータを使用して、皮膚、爪、または唇を処理するための化粧処理方法を提供する。
【００１２】
本発明によって、組成物および、必要に応じて、それが発生する泡が、もしあれば、アプリケータ要素に沿ってより良好に流れ、前記アプリケータ要素のベースに組成物が供給されると、組成物が、公知のアプリケータよりも容易にアプリケータ要素のフロック部に到達する。これにより、特にマニキュア液または他の化粧品組成物もしくは皮膚用組成物について塗布の正確さを高めることができる。
【００１３】
２つの隣接するアプリケータ要素間の空間の少なくとも一部分を、要素により担持されるフロック加工剛毛によって満たすことができる。これにより、泡立つことが可能な組成物を、皮膚、唇、または爪の表面を効果的に洗浄するような方法で泡立たせる際に、特に有効な塗布面を得ることが可能になる。また、アプリケータを使用後に容易に洗浄することができる。
【００１４】
必要に応じて、アプリケータ要素を使用して、処理する領域をマッサージすることができる。
【００１５】
［アプリケータ要素］
アプリケータ要素の各々は、場合によっては、その長手方向軸の周りで環状に対称であってもよい。
【００１６】
アプリケータ要素を、変化する間隔または規則的な間隔で、たとえば、２つの直交する方向に一定の間隔で、または周囲に向かって変化する間隔で、支持体上に配置することができる。アプリケータ要素を、平行または同心の列に配置することができる。
【００１７】
支持体の周囲に位置するアプリケータ要素は、アプリケータを正面から見たときに、任意の形状の外形、たとえば、場合によっては円形、多角形、または卵形、特に楕円形の外形を画定することができる。
【００１８】
すべてのアプリケータ要素は、アプリケータの同じ側から突出することができる。
【００１９】
アプリケータ要素の長さＬは、そのベースからその先端へ長手方向軸に沿って測定され、ベースは、要素が個々の要素になる領域である。
【００２０】
アプリケータ要素は、直線の長手方向軸を有することができ、または曲線の形状を提示することができる。したがって、それらの認識可能な高さは、厳密にはそれらの長さよりも小さい。
【００２１】
アプリケータ要素を十分に可とう性にして、それらの長さおよび／またはそれらが作成される材料の結果として、アプリケータの通常の使用中に認識可能な方法で屈曲することが可能であるようにすることができる。アプリケータ要素を、熱可塑性材料、特にエラストマーを射出成形することにより成形することができる。
【００２２】
フロック加工剛毛で覆われたアプリケータ要素の一部分を、場合によっては、アプリケータ要素の残りの部分と同じ材料から作成することができ、場合によっては、より可とう性にすることができる。そのフロック部に沿ったアプリケータ要素の横断面は、そのフロック加工されていない部分に沿ったアプリケータ要素の横断面とは異なっていてもよい。
【００２３】
隣接する、または他のアプリケータ要素により分離された少なくとも２つのアプリケータ要素の先端を、少なくとも１ｍｍ、さらに良好には、少なくとも１．５ｍｍ、３ｍｍ、４ｍｍ、５ｍｍ、１０ｍｍ、または１５ｍｍだけ離間させることができる。
【００２４】
好ましくは、各アプリケータ要素の全長Ｌ（フロック加工を無視する）は、要素のベースの最大横寸法、すなわち、テーパ形状であって、ベースが円形断面のアプリケータ要素についての最大直径の２倍よりも大きい。
【００２５】
アプリケータ要素の長さＬは、３ｍｍ〜２０ｍｍの範囲にあり、たとえば５ｍｍ〜１０ｍｍの範囲にある。
【００２６】
２つの隣接するアプリケータ要素のベースの中心間の距離は、場合によっては、同じアプリケータ要素の先端間の距離とは異なっていてもよい。
【００２７】
アプリケータ要素のフロック部の長さｌｐ（フロック加工剛毛のベースにおいて、フロック被覆の軸端部間で測定された）は、アプリケータ要素間で異なっていてもよい。
【００２８】
比ｌｐ／Ｌは、好ましくは１／５〜１／２の範囲にあり、さらに良好には０〜１／４の範囲にある。
【００２９】
アプリケータ要素のフロック加工されていない部分は、場合によっては、アプリケータの通常の使用中に変形され得る。
【００３０】
静止時に、アプリケータ要素は、平行であってもよく、たとえばそれらを担持する支持体に直交してもよい。変形形態では、アプリケータ要素は、たとえば互いに直交するか、またはＶ字形もしくは扇形構成に配置された、静止時に広がる長手方向軸を有することができる。
【００３１】
アプリケータ要素は、異なるまたは同一の長さを有していてもよい。
【００３２】
より一般的には、アプリケータ要素は、任意の立面形状および任意の断面形状とすることができ、それらは、場合によっては、アプリケータを少なくとも１つの観察方向に沿って立面で見たときに、互いに横切ることができる。
【００３３】
各アプリケータ要素はテーパ形状であってもよく、またはその端部がビード、スパイク、またはフォークの形状であってもよい。
【００３４】
アプリケータ要素は、それらの先端に幅広いヘッドを有することができる。
【００３５】
アプリケータ要素の自由端により画定される外被面は、平面、外側に凸面もしくは凹面、または斜面であってもよい。外被は、場合によっては、回転面とすることができる。
【００３６】
アプリケータ要素は、把持面を画定し得る支持体と一体に形成されていてもよく、および／または容器を閉鎖するように作用してもよく、および／または容器に固定されるように配置されていてもよい。
【００３７】
本発明のアプリケータの少なくとも２つのアプリケータ要素は、異なる密度の剛毛により、ならびに／または異なる厚さ、長さ、断面、硬さ、直径、および／もしくは種類のフロック加工剛毛によりフロック加工され得る。
【００３８】
アプリケータ要素は、可とう性であってもよい。
【００３９】
アプリケータ要素は、たとえば水で洗浄可能であってもよい。
【００４０】
［フロック被覆］
フロック加工は、場合によっては、環状に対称であってもよく、アプリケータ要素の各々、または一部のみに存在してもよい。
【００４１】
フロック被覆は、たとえば、半球状タフトの形状で、各アプリケータ要素に配置され得る。
【００４２】
フロック加工剛毛は、化粧品組成物で共通して使用されるすべての溶剤に強く、かつ水での洗浄に強い接着剤により、アプリケータ要素に接着され得る。接着剤は、溶剤型または水性であり、たとえばアクリルまたはラテックスである。例として、接着剤を浸漬または被覆により付着させて、アプリケータ要素ごとに一定のフロック加工レベルを確保するようにしてもよい。
【００４３】
フロック加工剛毛の長さは、０．２ｍｍ〜２ｍｍの範囲にあってもよく、たとえば０．５ｍｍ〜１ｍｍの範囲にあってもよい。
【００４４】
単一のアプリケータ要素に存在するフロック加工剛毛は同一であってもよく、または異なる直径、断面、および／もしくは長さであってもよく、または異なる材料から作成されていてもよい。
【００４５】
２つの隣接するアプリケータ要素のフロック加工剛毛は、特に、フロック部の長さｌｐよりも小さいかまたは等しい距離ｈｐ、たとえば範囲ｌｐ／４〜ｌｐにある距離ｈｐにわたって互いに貫通し合うことができる。変形形態では、２つの隣接するアプリケータ要素のフロック加工剛毛が、互いに貫通し合う必要がない。
【００４６】
フロック部の長さｌｐは、少なくとも２つのアプリケータ要素について異なっていてもよい。
【００４７】
フロック加工剛毛は、それらが接続されるアプリケータ要素の表面に局所的に直交することができる。
【００４８】
［アプリケータ］
アプリケータは、容器を閉鎖するための閉鎖部材を備えることができ、閉鎖部材は、アプリケータを把持するための把持面を画定する。
【００４９】
アプリケータ部材は、把持面に対して永続的に取り付けられるか、または着脱可能であってもよい。
【００５０】
アプリケータ部材を、ステムと一体に成形することができ、またはステムに装着することができる。アプリケータ要素は、ステムの遠位端に存在してもよい。
【００５１】
アプリケータ部材は、組成物を分配するための１つまたは複数のディスペンサーオリフィス、たとえばその中心に形成されて、アプリケータ要素のベース間で開く、少なくとも１つのオリフィスを有することができる。
【００５２】
アプリケータは、任意の形状、たとえばペン形状、ポット形状、またはフラスコ形状の容器に取り付けられていてもよい。容器には、場合によっては、必要に応じて規定用量の組成物を分配することを可能にするフローリデューサ、ポンプシステム、弁システム、および／またはオン／オフシステムが設けられた、任意のディスペンサーシステム、たとえば開口システムを備える。容器は、任意の他のアプリケータ、たとえばロールオンタイプのアプリケータを備えていてもよい。
【００５３】
アプリケータを、様々な手段により、場合によっては、容器へのスナップ留めまたはねじ留めにより、容器に取り付けることができ、たとえばそのネック、その端壁、または容器を閉鎖するための閉鎖部材に取り付けることができる。
【００５４】
アプリケータを、静止時に容器の上に配置することができ、または容器にまたがって取り付けることができ、またはいくつかの他の方法で容器に係合させることができる。
【００５５】
また、本発明の他の例示的な実施形態は、少なくとも１つの化粧品組成物または皮膚用組成物を皮膚、爪、または唇に塗布するためのパッケージングおよびアプリケータデバイスであって、
塗布用の組成物を含む容器と、
前述した本発明のアプリケータと、
を備えたデバイスを提供する。
【００５６】
本発明のアプリケータの使用は、顔に化粧品を塗布するために、または顔から化粧品を除去するために、皮膚を洗浄するために、組成物、たとえば日焼け止め剤または化粧品を体または顔に塗布するために役立つことができる。
【００５７】
したがって、本発明の他の例示的な実施形態もまた、ヒトケラチン材料、特に皮膚を処理するための、化粧処理、化粧品塗布、化粧品除去、または洗浄方法を提供し、この方法において、化粧品組成物または皮膚用組成物が、前述した本発明のアプリケータによって前記材料に塗布される。
【００５８】
アプリケータ要素が十分に変形可能であるときには、塗布中に、ユーザが前記アプリケータ要素を屈曲させることができる。
【００５９】
処理する面は、フロック加工剛毛のみに接触することができる。
【００６０】
塗布される組成物は、たとえば少なくとも１つの界面活性剤、有機溶剤、または水性溶剤を含む、皮膚、爪、または唇を洗浄するための組成物であり得る。
【００６１】
組成物の調合物から可能であるときには、組成物を泡立たせながら塗布することができる。
【００６２】
本発明は、添付の図面を確認しながら、非限定的な実施形態の以下の詳細な説明を読めば、より良く理解できよう。
【図面の簡単な説明】
【００６３】
【図１】本発明のパッケージングおよびアプリケータデバイスの例を示す概略部分軸方向断面図である。
【図２】分離して取った、本発明のアプリケータの概略部分軸方向断面図である。
【図３】アプリケータ要素の変形実施形態を示す図である。
【図４】アプリケータ要素の変形実施形態を示す図である。
【図５】アプリケータ要素の変形実施形態を示す図である。
【図６】アプリケータ要素の変形実施形態を示す図である。
【図７】アプリケータ要素の変形実施形態を示す図である。
【図８Ａ】アプリケータ要素の例を示す横断面図である。
【図８Ｂ】アプリケータ要素の例を示す横断面図である。
【図８Ｃ】アプリケータ要素の例を示す横断面図である。
【図８Ｄ】アプリケータ要素の例を示す横断面図である。
【図８Ｅ】アプリケータ要素の例を示す横断面図である。
【図８Ｆ】アプリケータ要素の例を示す横断面図である。
【図８Ｇ】アプリケータ要素の例を示す横断面図である。
【図９】本発明のデバイスの使用例を示す図である。
【図１０】本発明のデバイスの使用例を示す図である。
【図１１】本発明のアプリケータ部材の変形実施形態を示す図である。
【図１２】本発明のアプリケータ部材の変形実施形態を示す図である。
【図１３】本発明のアプリケータ部材の変形実施形態を示す図である。
【図１４】本発明のアプリケータ部材の変形実施形態を示す図である。
【図１５】本発明のアプリケータ部材の変形実施形態を示す図である。
【図１６】本発明のアプリケータ部材の変形実施形態を示す図である。
【図１７】本発明のアプリケータ部材の変形実施形態を示す図である。
【図１８】本発明のデバイスの変形形態を示す図である。
【図１９】本発明のデバイスの変形形態を示す図である。
【図２０】本発明のデバイスの変形形態を示す図である。
【図２１】本発明のデバイスの変形形態を示す図である。
【図２２】本発明のデバイスの変形形態を示す図である。
【図２３】本発明のデバイスの変形形態を示す図である。
【図２４】本発明のデバイスの変形形態を示す図である。
【図２５】本発明のデバイスの変形形態を示す図である。
【図２６】本発明のデバイスの変形形態を示す図である。
【図２７】本発明のデバイスの変形形態を示す図である。
【図２８】本発明のデバイスの変形形態を示す図である。
【発明を実施するための形態】
【００６４】
図１に一部を示すパッケージングおよびアプリケータデバイス１は、長手方向軸Ｘを有し、その内部空間６に、ヒトケラチン材料、特に皮膚、唇、または爪に塗布するための組成物Ｐを含む容器２と、組成物Ｐを塗布することを可能にするアプリケータ３とを備える。
【００６５】
容器２は、場合によっては、ユーザが変形可能な本体２ａを備える。例として、容器２は、剛性の熱可塑性材料を射出成型することにより作成され得る。変形形態では、容器が、ガラスまたは金属から作成され得る。一般に、容器２の本体を作成するために、任意の公知の熱可塑性材料、特にポリオレフィン、たとえばポリエチレンまたはポリプロピレン、ポリアミド、特にＲＩＬＳＡＮ（登録商標）、ポリエチレンテレフタラート（ＰＥＴ）、ポリオキシメチレン（ＰＯＭ）、ポリスチレン（ＰＳ）を使用することが可能である。容器２の壁は、場合によっては透明であってもよい。また、容器２の本体は、必要に応じて、可とう性の壁により作成されていてもよい。
【００６６】
説明する実施形態では、アプリケータ３がステム７を備え、ステム７の遠位端にアプリケータ部材８が配置される。アプリケータ部材は、ステム７に装着されていても、または変形形態では、少なくとも一部が前記ステムに一体に成形されていてもよい。
【００６７】
例として、アプリケータ３は図２に示すようなものであり、ステム７がアプリケータ部材８から離れた端部で、容器２を閉鎖するための閉鎖部材５に接続され、また、閉鎖部材は、ユーザ用の把持面１７を画定する。説明する実施形態では、アプリケータ部材８が把持面１７に対して永続的に取り付けられる。変形形態では、アプリケータ部材８が把持面１７に対して着脱可能である。
【００６８】
図１に示すように、容器２は、ミキサ部材１０、たとえばボールを含むことができる。
【００６９】
図示した実施形態では、アプリケータ部材８が、細長形状の３つのアプリケータ要素１９を備え、アプリケータ要素１９は、場合によってはステム７と一体に熱可塑性材料を成形することにより作成され、図示した実施形態においてはそれらのベースおよびそれらの先端が離間している。
【００７０】
少なくとも２つのアプリケータ要素１９が、それらの先端で、１ｍｍ、１．５ｍｍ、３ｍｍ、５ｍｍ、１０ｍｍ、または１５ｍｍより大きい距離ωだけ離間している。
【００７１】
図２に示すように、閉鎖部材５は、ステム７と一体に成形された固定末端部２５と、容器２のねじ切りされたネックに固定するように内部にねじ切りされた取付スカート２６とを備えることができる。
【００７２】
図３に示すように、アプリケータ要素１９は、それらの長さＬの一部分のみにわたって、それらの遠位端２０から始まってタフトに配置されたフロック加工の被覆２１を備える。
【００７３】
例として、各アプリケータ要素１９の長さＬは、要素のベース２２の最大寸法ｄの２倍よりも大きく、長さＬは、たとえば３ｍｍ〜２０ｍｍの範囲にある。
【００７４】
アプリケータ要素１９のフロック部の長さｌｐは、場合によっては、単一のアプリケータ部材８について異なっていてもよい。
【００７５】
例として、比ｌｐ／Ｌは、１／５〜１／２の範囲にあり、さらに良好には０〜１／４の範囲にある。
【００７６】
アプリケータ要素１９のフロック加工されていない部分が、アプリケータ要素１９間の組成物Ｐの流れを促し、フロック被覆２１が、処理する領域に化粧品を塗布すること、または処理する領域を洗浄することを可能にする。
【００７７】
フロック加工の単一のタフトにおいて、アプリケータ要素１９は剛毛２１を提供してもよく、該剛毛２１は、異なっていてもよい直径、長さ、断面、硬さ、厚さ、および／または種類である。
【００７８】
フロック加工剛毛２１により、２つの隣接するアプリケータ要素１９間の空間の少なくとも一部を満たすことが可能になる。このために、フロック加工剛毛２１のタフトの各々を、環状に対称な形状、たとえば半球状とすることができる。
【００７９】
アプリケータ要素１９は、図３〜図７に示すように、任意の形状とすることができる。それでも、アプリケータ要素１９の端部でのフロック加工剛毛２１の半球状の分布が促されるという点で、丸い端部の存在は有利である。
【００８０】
図３は、アプリケータ要素１９が異なるフロック加工剛毛２１の密度を提示する、考えられる例を示す。
【００８１】
また、図３は、アプリケータ要素１９の各々が、端部が丸い円錐形を提示する、考えられる例を示す。
【００８２】
図４は、丸い、たとえば球状のヘッドが設けられたアプリケータ要素１９を示す。
【００８３】
図５に示すアプリケータ要素１９は、端部がテーパ状の円錐形を提示し、図７に示すアプリケータ要素は、角錐形状を提示する。
【００８４】
図６は、アプリケータ要素１９が円筒形、好ましくは環状円筒形を提示し、丸い遠位端２０を備える、考えられる例を示す。
【００８５】
アプリケータ要素１９は、図８Ａ〜８Ｇに示す任意の形状、たとえば、場合によっては、円形（図８Ａ）、卵形（図８Ｃ）、特に楕円形、多角形、特に三角形（図８Ｂ）、正方形（図８Ｄ）、または長方形（図８Ｅ）、または十字形（図８Ｆおよび図８Ｇ）の横断面を有することができる。
【００８６】
図９は、ユーザの指Ａの爪にマニキュアまたはマニキュアリムーバーを塗布するための、本発明のアプリケータ部材８の使用の例を示す。
【００８７】
図１０は、アプリケータ要素１９が、たとえば、屈曲することにより互いに広がって離れることが可能になるように、塗布中に可とう性である、考えられる例を示す。
【００８８】
アプリケータ要素１９の遠位端２０を接合する外被面Ｓは、任意の形状、たとえば図１７に示すように平面、図１１に示すように凹面、図１２および図１３に示すように凸面、または図１６に示すように斜面とすることができる。
【００８９】
アプリケータ要素１９の長さＬは、図１１および図１２に示すように、単一のアプリケータ３内で変化し得る。これらの例では、アプリケータ要素１９の長手方向軸が平行であり、アプリケータ要素が、検討中の実施形態においてステム７により構成される支持体に直交する。
【００９０】
変形形態では、アプリケータ要素１９が、異なる方向、特に、図１３に示すように、アプリケータ要素が扇形構成に配置された、広がる方向を向いていてもよい。
【００９１】
図１４は、アプリケータ３を長手方向軸に直交する方向に沿って立面で見たときに、アプリケータ要素１９が互いに横切る、考えられる例を示す。
【００９２】
アプリケータ要素１９は、直線ではない長手方向軸、たとえば、図１５に示すように湾曲した長手方向軸を有することができる。
【００９３】
アプリケータ部材８は、アプリケータ要素１９の先端を接合する、斜めに延びる線または面を画定することができ、線または面は、図１６に示すように、異なる長さのアプリケータ要素１９間の長さの差の結果として、斜面形状をアプリケータに与える。
【００９４】
フロック加工剛毛２１は、好ましくは、たとえば図３に示すように、それらが接続されるアプリケータ要素１９の表面に局所的に直交する。
【００９５】
図２に示すように、２つの隣接するアプリケータ要素１９のフロック加工剛毛２１は、互いに貫通し合う必要がない。図１７に示す変形形態では、フロック加工剛毛が、距離ｈｐにわたって互いに貫通し合う。
【００９６】
本発明により作成されたアプリケータ３は、多数の異なる容器に取り付けられていてもよく、または結合されていてもよい。ほんのいくつかの考えられる例について、以下で説明する。
【００９７】
図１８は、アプリケータドームまたはロールオン等の、容器２の本体に対して固定または可動であり得るさらなるアプリケータ部材６０を備えたデバイス１を示す。閉鎖キャップ５０を、デバイス１を閉鎖するために、かつ使用されていないときにアプリケータ部材６０を覆うために設けることができる。
【００９８】
本発明のアプリケータ要素１９を担持するアプリケータ部材８を、アプリケータ部材６０から離れた容器２の側に、たとえば場合によっては、容器の底壁１５にスナップ留めされ、または少なくとも一部が前記容器と一体に成形されて配置することができる。保護キャップ（図示せず）を設けて、使用されていないときに、アプリケータ要素１９を保護することができる。
【００９９】
ユーザは、アプリケータ６０によって、容器２に含まれるある量の組成物Ｐを塗布することができる。ユーザは、組成物が塗布された面を洗浄するために、アプリケータ部材８を使用することができる。
【０１００】
図１９は、本発明により作成されたアプリケータ３を、アプリケータ３を受けるため、およびアプリケータ３に組成物Ｐを充填するためのハウジング１６８を提示する容器２に取り付ける、考えられる例を示す。ハウジング１６８は、図示のように、容器のネック１６１により画定され得る。アプリケータ部材８は、例として、図示のように、ネック１６１にねじ留めされるように配置された支持部により担持されて、アプリケータ部材８が前記ハウジング内で定位置にある状態でハウジング１６８を閉鎖することができる。
【０１０１】
ハウジング１６８には、任意の手段によって、かつ例として、図示のように、弁またはポンプ１１５のロッド１１６によって、塗布用の組成物Ｐが供給され得る。例として、ロッドは補充品１６３に固定され、補充品１６３は、容器の本体２内で摺動することができ、図２３の異なる例について示すように、前記容器を越えて下方に延びることができる。したがって、ユーザは、補充品１６３の底壁を押圧して、前記補充品に含まれる組成物Ｐをハウジング１６８に分配させることができる。
【０１０２】
図示のように、必要に応じて振動源１４５を受けることのできるハンドル１１７に、支持部１１４を固定することができる。
【０１０３】
図２０に示す変形形態では、容器がディスペンサーシステム１８１、たとえば押しボタンシステムを含み、組成物Ｐを分配することを可能にする。本実施形態では、容器の上部のアプリケータ３が、ディスペンサーシステム１８１を覆う閉鎖キャップ１８０に固定される。必要に応じて、着脱可能な保護キャップ５５をアプリケータ３に取り付けてもよい。
【０１０４】
アプリケータ３を容器２から分離させた後、ユーザは所望の量の組成物Ｐを取り出して、アプリケータ３によって拡散させることができる。
【０１０５】
図２１に示す変形形態では、組成物Ｐを分配するための少なくとも１つのディスペンサーオリフィス１２０が、少なくとも２つのアプリケータ要素１９間で開き、オリフィス１２０は、たとえば、アプリケータ部材８の中央に形成された単一のオリフィスである。
【０１０６】
例として、図示のように、弁もしくはポンプロッド１１６またはいくつかの他の手段によって、たとえば、図２５の異なる例について示すように、組成物Ｐを含む内部空間６との直接連通によって、オリフィス１２０に組成物が供給される。
【０１０７】
図２２および図２３において、デバイス１が、比較的狭く細長の形状、たとえばペン形状を提示することができることがわかる。
【０１０８】
図２２に示す変形形態では、組成物Ｐが、容器２内部の空間と連通する出口オリフィスを介してアプリケータ部材８のベースに到達する。オン／オフタイプのディスペンサーシステム７０が容器２上に存在し、要求に応じて組成物Ｐの分配を可能にする。
【０１０９】
図２３に示す変形形態では、容器２の本体２ａに対して可動である補充品１６３に組成物が含まれ、図１９で説明したように、ディスペンサー機構を作動させることを可能にする。
【０１１０】
図２４に示す変形形態の場合のように、容器２に対して可動であるアプリケータ部材８を有することが可能であり、ユーザは、アプリケータ３に下方圧力を加えることにより、ディスペンサー機構１１５を作動させることができる。アプリケータは、ステム１１６に係合する末端部１３０を有して作成されていてもよい。
【０１１１】
図２５の変形形態では、チムニ９０により、アプリケータ要素１９間で開くオリフィス９１に組成物Ｐを供給することが可能になる。本実施形態では、アプリケータ要素が、チムニ９０に固定された支持体と一体に成形されることにより作成される。
【０１１２】
図２６の変形形態では、アプリケータ３が、たとえばスナップ留めにより、容器２の端壁１５に着脱可能な方法で固定される。
【０１１３】
図２７の変形形態では、デバイス１が、容器２と、組成物Ｐを分配するための、任意の種類であり得るディスペンサーシステムとを備えたフラスコの形状である。
【０１１４】
アプリケータ要素１９を担持するアプリケータ３は、クリップの形状を有する支持体を備え、支持体により、使用されていないときに、アプリケータ３を容器２に取り付けることが可能になる。
【０１１５】
図２８に示すように、組成物Ｐを塗布するために、ユーザはアプリケータ３を容器から分離させ、ディスペンサー機構によって組成物Ｐを取り出し、次いで、組成物Ｐを塗布するために、アプリケータ３を指Ａに置く。
【０１１６】
当然、本発明は、上に説明した実施形態に限定されない。
【０１１７】
特に、図示の様々な実施形態の特徴を、図示しない変形形態内で互いに組み合わせることができる。
【０１１８】
容器は、図示以外の任意の形状であってもよい。
【０１１９】
デバイスは、図１９の例にあるように振動源を備えることができ、塗布中にアプリケータ部材に振動をかけることが可能である。
【０１２０】
「〜を１つ備える」という表現は、特に逆の規定がなければ「少なくとも１つの〜を備える」と同義であるものと理解すべきである。
【符号の説明】
【０１２１】
１  デバイス
２  容器
２ａ  本体
３  アプリケータ
５  閉鎖部材
６  内部空間
７  ステム
８  アプリケータ部材
１０  ミキサ部材
１５  底壁
１７  把持面
１９  アプリケータ要素
２０  遠位端
２１  フロック加工剛毛
２２  ベース
２５  固定末端部
２６  取付スカート
５０  閉鎖キャップ
５５  保護キャップ
６０  アプリケータ部材
７０  ディスペンサーシステム
９０  チムニ
９１  オリフィス
１１４  支持部
１１５  ポンプ
１１６  ロッド
１１７  ハンドル
１２０  ディスペンサーオリフィス
１３０  末端部
１４５  振動源
１６１  ネック
１６３  補充品
１６８  ハウジング
１８０  閉鎖キャップ
１８１  ディスペンサーシステム
Ａ  指
Ｌ  全長
Ｐ  組成物
Ｓ  外被面
Ｘ  長手方向軸
ｄ  最大寸法
ｈｐ  距離
【図１】
2014515970.tif 000003
【図２】
2014515970.tif 000004
【図３】
2014515970.tif 000005
【図４】
2014515970.tif 000006
【図５】
2014515970.tif 000007
【図６】
2014515970.tif 000008
【図７】
2014515970.tif 000009
【図８Ａ】
2014515970.tif 000010
【図８Ｂ】
2014515970.tif 000011
【図８Ｃ】
2014515970.tif 000012
【図８Ｄ】
2014515970.tif 000013
【図８Ｅ】
2014515970.tif 000014
【図８Ｆ】
2014515970.tif 000015
【図８Ｇ】
2014515970.tif 000016
【図９】
2014515970.tif 000017
【図１０】
2014515970.tif 000018
【図１１】
2014515970.tif 000019
【図１２】
2014515970.tif 000020
【図１３】
2014515970.tif 000021
【図１４】
2014515970.tif 000022
【図１５】
2014515970.tif 000023
【図１６】
2014515970.tif 000024
【図１７】
2014515970.tif 000025
【図１８】
2014515970.tif 000026
【図１９】
2014515970.tif 000027
【図２０】
2014515970.tif 000028
【図２１】
2014515970.tif 000029
【図２２】
2014515970.tif 000030
【図２３】
2014515970.tif 000031
【図２４】
2014515970.tif 000032
【図２５】
2014515970.tif 000033
【図２６】
2014515970.tif 000034
【図２７】
2014515970.tif 000035
【図２８】
2014515970.tif 000036
【国際調査報告】
2014515970.tif 000037
2014515970.tif 000038
2014515970.tif 000039